(57)【要約】【課題】施工時や生産時のマニュアル調整の手間を省き、かつ、フィルタの周波数特性の経時変化にも対応して簡単な操作で或いは自動でフィルタの周波数特性を調整できるようにする。【解決手段】通信線３からの入力信号から第１の周波数帯の信号成分を選択的に減衰させる減衰フィルタ回路１３と、入力信号に含まれる第２の周波数帯の信号成分を選択的に通過させる通過フィルタ回路１４と、該通過フィルタ回路１４を通過した入力信号に含まれるＦＭ変調信号を復調するＦＭ復調回路１５と、通話動作時に減衰フィルタ回路１３及び通過フィルタ回路１４に予め設定された制御信号を出力する制御部４とを備え、減衰フィルタ回路１３及び通過フィルタ回路１４は、制御信号の内容に応じて周波数特性が変化するように構成されている。【選択図】図１
2016184836.tif 000002
【特許請求の範囲】
【請求項１】
入力信号から第１の周波数帯の信号成分を選択的に減衰させる減衰フィルタ回路と、前記入力信号に含まれる第２の周波数帯の信号成分を選択的に通過させる通過フィルタ回路と、前記減衰フィルタ回路及び前記通過フィルタ回路を通過した入力信号に含まれるＦＭ変調信号を復調するＦＭ復調回路と、通話動作時に前記減衰フィルタ回路及び／又は前記通過フィルタ回路に予め設定された制御信号を出力する制御部とを備え、前記減衰フィルタ回路及び／又は前記通過フィルタ回路は、前記制御信号の内容に応じて周波数特性が変化するように構成されていることを特徴とする通話装置。
【請求項２】
入力信号から第１の周波数帯の信号成分を選択的に減衰させる減衰フィルタ回路と、該減衰フィルタ回路を通過した入力信号に含まれる第２の周波数帯の信号成分を選択的に通過させる通過フィルタ回路と、該通過フィルタ回路を通過した入力信号に含まれるＦＭ変調信号を復調するＦＭ復調回路と、通話動作時に前記通過フィルタ回路に予め設定された制御信号を出力する制御部とを備え、前記通過フィルタ回路は、前記制御信号の内容に応じてカットオフ周波数が変化するように構成されていることを特徴とする通話装置。
【請求項３】
請求項１又は２に記載の通話装置において、前記制御部は、自動校正動作時に前記減衰フィルタ回路及び前記通過フィルタ回路を通過した入力信号の信号強度に基づいて前記制御信号の内容を自動校正するように構成されていることを特徴とする通話装置。
【請求項４】
第１及び第２の通話器を備え、
第１の通話器は、送信音声信号をＦＭ変調してなる第１の周波数帯のＦＭ変調信号を通信線に入出力部を介して出力するＦＭ変調回路と、前記入出力部からの入力信号から第１の周波数帯の信号成分を選択的に減衰させる減衰フィルタ回路と、該減衰フィルタ回路を通過した入力信号に含まれる第２の周波数帯の信号成分を選択的に通過させる通過フィルタ回路と、該通過フィルタ回路を通過した入力信号に含まれるＦＭ変調信号を復調するＦＭ復調回路と、通話動作時に前記通過フィルタ回路に予め設定された制御信号を出力する制御部とを備え、前記通過フィルタ回路は、前記制御信号の内容に応じてカットオフ周波数が変化するように構成され、
第２の通話器は、送信音声信号をＦＭ変調してなる第２の周波数帯のＦＭ変調信号を前記通信線に入出力部を介して出力するＦＭ変調回路と、該ＦＭ変調回路の動作を制御する制御部とを備え、
第１の通話器の前記制御部は、自動校正動作時に前記通過フィルタ回路を通過した入力信号の信号強度に基づいて前記制御信号の内容を自動校正するように構成され、
第１及び第２の通話器の各制御部は情報通信可能に接続され、第１の通話器の制御部の前記自動校正動作時に第２の通話器の制御部に前記ＦＭ変調回路の動作制御を開始させるべく第１及び第２の通話器の制御部同士が通信する
ことを特徴とする通話装置。
【発明の詳細な説明】
【技術分野】
【０００１】
本発明は、インターホン等として好適に利用できる通話装置に関する。
【背景技術】
【０００２】
本願出願人は、下記の特許文献１に、音声信号を異なる周波数帯でＦＭ変調することで全二重通信を行う通話装置において、ＦＭ復調回路に入力する前に入力信号に含まれる自機の送信搬送波を減衰させるトラップフィルタを設けるとともに、ＬＣ共振回路により構成されるトラップフィルタの周波数特性のばらつきを自動調整可能に構成した通話装置を提案している。
【先行技術文献】
【特許文献】
【０００３】
【特許文献１】特開２０１４−１９２８４０号公報
【発明の概要】
【発明が解決しようとする課題】
【０００４】
上記特許文献１記載の通話装置によれば、各リモコンの自らの送信周波数を受信回路側で的確に減衰させることによって、自らの送信周波数帯以外の周波数を含む受信信号をＦＭ復調回路に入力させることができる。
【０００５】
しかし、ＦＭ復調回路によって復調された音声信号に含まれるノイズ成分は、上記入力信号に上記送信周波数帯以外の周波数成分として重畳していることも多く、自らの送信周波数帯の信号成分を減衰させるのみでは十分なノイズ低減が期待できない可能性がある。
【０００６】
また、ＦＭ送受信機の受信回路部において、受信周波数の帯域のみを通過させるバンドパスフィルタを設けることは一般的であるが、比較的近い周波数帯域で信号強度の大きな送信波と受信波とが混在する上記通話装置においては、バンドパスフィルタのみでは受信波のみを選択的に透過させることは困難であり、送信波に起因するノイズ成分をもバンドパスフィルタを通過してしまい、ノイズの要因となっていた。
【０００７】
そこで、本発明は、音声信号を異なる周波数帯でＦＭ変調することで全二重通信を行う通話装置において、より一層のノイズ低減を図ることを目的とする。
【課題を解決するための手段】
【０００８】
上記目的を達成するために、本発明は、次の技術的手段を講じた。
【０００９】
すなわち、本発明の請求項１に係る通話装置は、入力信号から第１の周波数帯（例えば自機が他機に向けて送信するＦＭ変調信号の周波数帯）の信号成分を選択的に減衰させる減衰フィルタ回路と、前記入力信号に含まれる第２の周波数帯（例えば、他機から受信するＦＭ変調信号の周波数帯）の信号成分を選択的に通過させる通過フィルタ回路と、前記減衰フィルタ回路及び前記通過フィルタ回路を通過した入力信号に含まれるＦＭ変調信号を復調するＦＭ復調回路と、通話動作時に前記減衰フィルタ回路及び／又は前記通過フィルタ回路に予め設定された制御信号を出力する制御部とを備え、前記減衰フィルタ回路及び／又は前記通過フィルタ回路は、前記制御信号の内容に応じて周波数特性が変化するように構成されていることを特徴とするものである。
【００１０】
かかる本発明の通話装置によれば、不要であるが信号強度の大きな第１の周波数帯の信号成分が入力信号に含まれている場合に、減衰フィルタ回路によって第１の周波数帯の信号成分を減衰させることで、必要となる第２の周波数帯の信号成分の信号強度のみを他の周波数帯の信号成分に比して突出して大きなものとすることができる。また、減衰フィルタ回路の前段若しくは後段に設けた通過フィルタ回路によって第２の周波数帯の信号成分を選択的に通過させることにより、復調後の音声信号の低ノイズ化と明瞭度向上とを図ることができる。さらに、いずれか一方又は両方のフィルタ回路の周波数特性を制御部が出力する制御信号によって変化させることができるように構成しているため、例えば製品製造後の検査工程においてより低ノイズな音声信号が出力されるよう制御信号を校正することができる。
【００１１】
また、本発明の請求項２に係る通話装置は、入力信号から第１の周波数帯の信号成分を選択的に減衰させる減衰フィルタ回路と、該減衰フィルタ回路を通過した入力信号に含まれる第２の周波数帯の信号成分を選択的に通過させる通過フィルタ回路と、該通過フィルタ回路を通過した入力信号に含まれるＦＭ変調信号を復調するＦＭ復調回路と、通話動作時に前記通過フィルタ回路に予め設定された制御信号を出力する制御部とを備え、前記通過フィルタ回路は、前記制御信号の内容に応じてカットオフ周波数が変化するように構成されていることを特徴とするものである。
【００１２】
かかる本発明の通話装置によれば、不要であるが信号強度の大きな第１の周波数帯の信号成分が入力信号に含まれている場合に、まず減衰フィルタ回路によって第１の周波数帯の信号成分を減衰させることで、必要となる第２の周波数帯の信号成分の信号強度のみを他の周波数帯の信号成分に比して突出して大きなものとし、その後通過フィルタ回路によって第２の周波数帯の信号成分を選択的に通過させることにより、復調後の音声信号の低ノイズ化と明瞭度向上とを図ることができる。さらに、通過フィルタ回路のカットオフ周波数を制御部が出力する制御信号によって変化させることができるように構成しているため、例えば製品製造後の検査工程においてより低ノイズな音声信号が出力されるよう制御信号を校正することができる。
【００１３】
上記本発明の通話装置において、前記制御部は、自動校正動作時に前記減衰フィルタ回路及び前記通過フィルタ回路を通過した入力信号の信号強度に基づいて前記制御信号の内容を自動校正するように構成されていてよい（請求項３）。これによれば、制御部の自動校正動作を実行させることによって、制御信号の内容を自動校正させることができ、製造後の検査工程や、施工現場における動作確認時などにおいて、簡単かつ的確に制御信号の校正を行わせることができる。
【００１４】
また、本発明の請求項４に係る通話装置は、第１及び第２の通話器を備え、第１の通話器は、送信音声信号をＦＭ変調してなる第１の周波数帯のＦＭ変調信号を通信線に入出力部を介して出力するＦＭ変調回路と、前記入出力部からの入力信号から第１の周波数帯の信号成分を選択的に減衰させる減衰フィルタ回路と、該減衰フィルタ回路を通過した入力信号に含まれる第２の周波数帯の信号成分を選択的に通過させる通過フィルタ回路と、該通過フィルタ回路を通過した入力信号に含まれるＦＭ変調信号を復調するＦＭ復調回路と、通話動作時に前記通過フィルタ回路に予め設定された制御信号を出力する制御部とを備え、前記通過フィルタ回路は、前記制御信号の内容に応じてカットオフ周波数が変化するように構成され、第２の通話器は、送信音声信号をＦＭ変調してなる第２の周波数帯のＦＭ変調信号を前記通信線に入出力部を介して出力するＦＭ変調回路と、該ＦＭ変調回路の動作を制御する制御部とを備え、第１の通話器の前記制御部は、自動校正動作時に前記通過フィルタ回路を通過した入力信号の信号強度に基づいて前記制御信号の内容を自動校正するように構成され、第１及び第２の通話器の各制御部は情報通信可能に接続され、第１の通話器の制御部の前記自動校正動作時に第２の通話器の制御部に前記ＦＭ変調回路の動作制御を開始させるべく第１及び第２の通話器の制御部同士が通信することを特徴とするものである。
【００１５】
かかる本発明の通話装置によれば、第１の通話器のＦＭ復調回路にとって不要であるが信号強度の大きな第１の周波数帯の自機のＦＭ変調送信信号成分が入力信号にも含まれることになるが、まず減衰フィルタ回路によって第１の周波数帯の信号成分を減衰させることで、必要となる第２の周波数帯の信号成分の信号強度のみを他の周波数帯の信号成分に比して突出して大きなものとし、その後通過フィルタ回路によって第２の周波数帯の信号成分を選択的に通過させることにより、復調後の音声信号の低ノイズ化と明瞭度向上とを図ることができる。さらに、通過フィルタ回路の周波数特性を制御部が出力する制御信号によって変化させることができるように構成しているため、例えば製品製造後の検査工程においてより低ノイズな音声信号が出力されるよう制御信号を校正することができる。また、第１の通話器の制御部の自動校正動作を実行させることによって、制御信号の内容を自動校正させることができ、製造後の検査工程や、施工現場における動作確認時などにおいて、簡単かつ的確に制御信号の校正を行わせることができる。さらに、自動校正動作の際に、第２の通話器の制御部と通信することによって、第２の通話器の制御部に第２の通話器のＦＭ変調回路の動作制御を行わせ、第２の通話器から第１の通話器に通信線を介して第２の周波数帯のＦＭ変調信号を自動送信させることができ、かかる第２の周波数帯の信号成分の信号強度を確実に大きなものとすることにより、上記自動校正動作をより正確に行わせることができる。
【発明の効果】
【００１６】
以上説明したように、本発明の請求項１に係る通話装置によれば、不要であるが信号強度の大きな第１の周波数帯の信号成分が入力信号に含まれている場合に、減衰フィルタ回路によって第１の周波数帯の信号成分を減衰させることで、必要となる第２の周波数帯の信号成分の信号強度のみを他の周波数帯の信号成分に比して突出して大きなものとすることができる。また、減衰フィルタ回路の前段若しくは後段に設けた通過フィルタ回路によって第２の周波数帯の信号成分を選択的に通過させることにより、復調後の音声信号の低ノイズ化と明瞭度向上とを図ることができる。さらに、いずれか一方又は両方のフィルタ回路の周波数特性を制御部が出力する制御信号によって変化させることができるように構成しているため、例えば製品製造後の検査工程においてより低ノイズな音声信号が出力されるよう制御信号を校正することができる。
【００１７】
また、本発明の請求項２に係る通話装置によれば、不要であるが信号強度の大きな第１の周波数帯の信号成分が入力信号に含まれている場合に、まず減衰フィルタ回路によって第１の周波数帯の信号成分を減衰させることで、必要となる第２の周波数帯の信号成分の信号強度のみを他の周波数帯の信号成分に比して突出して大きなものとし、その後通過フィルタ回路によって第２の周波数帯の信号成分を選択的に通過させることにより、復調後の音声信号の低ノイズ化と明瞭度向上とを図ることができる。さらに、通過フィルタ回路の周波数特性を制御部が出力する制御信号によって変化させることができるように構成しているため、例えば製品製造後の検査工程においてより低ノイズな音声信号が出力されるよう制御信号を校正することができる。
【００１８】
また、本発明の請求項３に係る通話装置によれば、制御部の自動校正動作を実行させることによって、制御信号の内容を自動校正させることができ、製造後の検査工程や、施工現場における動作確認時などにおいて、簡単かつ的確に制御信号の校正を行わせることができる。
【００１９】
また、本発明の請求項４に係る通話装置によれば、第１の通話器のＦＭ復調回路にとって不要であるが信号強度の大きな第１の周波数帯の自機のＦＭ変調送信信号成分が入力信号にも含まれることになるが、まず減衰フィルタ回路によって第１の周波数帯の信号成分を減衰させることで、必要となる第２の周波数帯の信号成分の信号強度のみを他の周波数帯の信号成分に比して突出して大きなものとし、その後通過フィルタ回路によって第２の周波数帯の信号成分を選択的に通過させることにより、復調後の音声信号の低ノイズ化と明瞭度向上とを図ることができる。さらに、通過フィルタ回路の周波数特性を制御部が出力する制御信号によって変化させることができるように構成しているため、例えば製品製造後の検査工程においてより低ノイズな音声信号が出力されるよう制御信号を校正することができる。また、第１の通話器の制御部の自動校正動作を実行させることによって、制御信号の内容を自動校正させることができ、製造後の検査工程や、施工現場における動作確認時などにおいて、簡単かつ的確に制御信号の校正を行わせることができる。さらに、自動校正動作の際に、第２の通話器の制御部と通信することによって、第２の通話器の制御部に第２の通話器のＦＭ変調回路の動作制御を行わせ、第２の通話器から第１の通話器に通信線を介して第２の周波数帯のＦＭ変調信号を自動送信させることができ、かかる第２の周波数帯の信号成分の信号強度を確実に大きなものとすることにより、上記自動校正動作をより正確に行わせることができる。
【図面の簡単な説明】
【００２０】
【図１】本発明の一実施形態に係る通話装置の概略ブロック構成図である。
【図２】同通話装置の減衰フィルタ回路の一例を示す回路図である。
【発明を実施するための形態】
【００２１】
以下、本発明の好適な実施形態を図面に基づいて説明する。
【００２２】
図１は、本発明の一実施形態に係る通話装置を示しており、該通話装置は、風呂機能を備えた給湯器の遠隔操作に用いられるリモコンシステムに組み込まれたものとして構成され、台所など浴室以外の場所に設置される台所リモコン１（第１の通話器）と、浴室に設置される浴室リモコン２（第２の通話器）とによって主構成されている。なお、これら台所リモコン１と浴室リモコン２は、図示していないが給湯器を介して通信接続されている。具体的には、各リモコン１，２に接続される２芯の通信線３が給湯器の端子台などを介して相互に接続されることによって、台所リモコン１と浴室リモコン２とが通信接続されている。
【００２３】
台所リモコン１及び浴室リモコン２は、いずれも給湯器の遠隔操作のために設けられた遠隔操作装置であって、マイコンを制御中枢とする制御部４と、制御部４が給湯器や他のリモコンの制御部４との間で通信線３を介して各種情報を送受信するための情報通信回路５と、マイク６から入力された送信音声信号をＦＭ変調して通信線３に出力するＦＭ送信回路７と、通信線３からの入力信号から他のリモコンからの受信音声信号を復調してスピーカ８に出力するＦＭ受信回路９とを備えている。これら情報通信回路５の入出力線５ａ、ＦＭ送信回路７の出力線７ａ、及び、ＦＭ受信回路９の入力線９ａは、各リモコン１，２内部で結線されて入出力部を構成しており、この入出力部に通信線３が接続されている。
【００２４】
制御部４は、各リモコン１，２において、給湯器の遠隔操作機能、各種情報表示機能、ハンズフリー音声通話機能などの各種機能を実現するために必要なデータの記憶やプログラムの処理や入出力制御などを行うマイコンによって主構成され、該マイコンにはＲＯＭやＲＡＭなどの外部メモリが接続され、上記プログラムや必要なデータは外部メモリに記憶され、必要に応じて内部メモリにロードされるようになっている。また、マイコンは、Ｄ／Ａ変換器を介してアナログデータとしての指令電圧値を出力するアナログデータ出力ポートを備えることができる。なお、Ｄ／Ａ変換器は制御部４に内蔵していてもよいし、デジタルデータ入出力ポートを介して外付けのＤ／Ａ変換器を接続することもできる。
【００２５】
情報通信回路５は、通信線３を介して給湯器の制御部及びリモコン１，２の制御部４同士で相互に制御信号を送受信するために設けられたものであって、制御部４のデジタルデータ入出力ポートに接続され、該ポートから出力された制御信号に基づいて所定の搬送周波数（例えば２５０ｋＨｚ）の搬送波をＡＳＫ変調して通信線３に出力するとともに、給湯器や他のリモコンから送出されたＡＳＫ変調信号を復調して制御部４のデジタルデータ入出力ポートに供給することによって、台所リモコン１の制御部４は給湯器のコントローラ（制御部）や浴室リモコン２の制御部４と各種情報の送受信ができるようになっており、また同様に、浴室リモコン２の制御部４も給湯器のコントローラや台所リモコン１の制御部４と各種情報の送受信ができるようになっている。なお、本明細書において、送受信される各種情報には、他のリモコン等に対する制御指令信号も含まれるものとする。
【００２６】
ＦＭ送信回路７及びＦＭ受信回路９は、台所リモコン１と浴室リモコン２との間で全二重通信によるハンズフリーインターホン通話（音声通話）を行うために設けられた通信手段である。
【００２７】
各リモコン１，２のＦＭ送信回路７は、インターホン通話時に音声を入力するためのマイク９で電気信号に変換された送信音声信号を増幅するマイクアンプ１０と、マイクアンプ１０で増幅された音声信号を周波数変調して所定周波数帯のＦＭ変調信号を出力するＦＭ変調回路１１と、ＦＭ変調信号を増幅して入出力部を介して通信線３に出力するバッファアンプ１２とを備えている。
【００２８】
一方、リモコン１，２のＦＭ受信回路９は、入出力部からの入力信号から所定の第１の周波数帯の信号成分を選択的に減衰させて出力するための減衰フィルタ回路１３と、減衰フィルタ回路１３を通過した入力信号（減衰フィルタ回路１３の出力信号）に含まれる所定の第２の周波数帯の信号成分を選択的に通過させる通過フィルタ回路１４と、通過フィルタ回路１４を通過した入力信号（通過フィルタ回路１４の出力信号）に含まれる第２の周波数帯のＦＭ変調信号を検波して復調するＦＭ復調回路１５と、ＦＭ復調回路１５で復調された受信音声信号を増幅するスピーカアンプ１６とを備え、スピーカアンプ１６で増幅された音声信号はスピーカ８によって聴取可能な音響として出力されるようになっている。なお、ＦＭ変調回路１１及びＦＭ復調回路１５は従来公知の種々の回路構成とすることができ、例えばＦＭ変調回路１１は電圧制御発信器（ＶＣＯ）によって構成することができ、ＦＭ復調回路１５はスーパーへテロダイン方式の回路構成など、適宜のものとすることができる。
【００２９】
本実施形態では、全二重通信を実現するために、台所リモコン１のＦＭ変調回路１１における搬送周波数と浴室リモコン２のＦＭ変調回路１１における搬送周波数とが異なる周波数となされ、台所リモコン１のＦＭ変調回路１１が出力するＦＭ変調信号の周波数帯は帯域０．５ＭＨｚの２．３ＭＨｚ帯（第１の周波数帯）となされ、浴室リモコン２のＦＭ変調回路１１が出力するＦＭ変調信号の周波数帯は帯域０．５ＭＨｚの２．８ＭＨｚ（第２の周波数帯）となされている。
【００３０】
一方、台所リモコン１のＦＭ復調回路１５は、浴室リモコン２のＦＭ変調回路１１が出力する２．８ＭＨｚ帯ＦＭ変調信号を検波・復調するように構成されるとともに、台所リモコン１の減衰フィルタ回路１３は、台所リモコン１のＦＭ変調回路１１が出力する２．３ＭＨｚ帯ＦＭ変調信号をノイズ信号として減衰除去するように構成され、台所リモコン１の通過フィルタ回路１４は、浴室リモコン２のＦＭ変調回路１１が出力する２．８ＭＨｚ帯ＦＭ変調信号を通過させるが、上側遮断周波数（上側カットオフ周波数）を超える周波数成分並びに下側遮断周波数（下側カットオフ周波数）未満の周波数成分を減衰除去するように構成されている。同様に、浴室リモコン２のＦＭ復調回路１４は、台所リモコン１のＦＭ変調回路１１が出力する２．３ＭＨｚ帯ＦＭ変調信号を検波・復調するように構成されるとともに、浴室リモコン２の減衰フィルタ回路１３は、浴室リモコン２のＦＭ変調回路１１が出力する２．８ＭＨｚ帯ＦＭ変調信号をノイズ信号として減衰除去するように構成され、浴室リモコン２の通過フィルタ回路１４は、台所リモコン１のＦＭ変調回路１１が出力する２．３ＭＨｚ帯ＦＭ変調信号を通過させるが、上側遮断周波数（上側カットオフ周波数）を超える周波数成分並びに下側遮断周波数（下側カットオフ周波数）未満の周波数成分を減衰除去するように構成されている。
【００３１】
これにより、インターホン通話動作時においては、通話切替操作が不要となり、台所リモコン１のＦＭ送信回路７が出力する２．３ＭＨｚ帯ＦＭ変調信号は浴室リモコン２のＦＭ受信回路９によって復調されることによって、台所リモコン１のマイク６から入力された音声信号が浴室リモコン２のスピーカ８から再生出力されるとともに、浴室リモコン２のＦＭ送信回路７が出力する２．８ＭＨｚ帯ＦＭ変調信号は台所リモコン１のＦＭ受信回路９によって復調されることによって、浴室リモコン２のマイク６から入力された音声信号が台所リモコン１のスピーカ８から再生出力されるようになっている。なお、インターホン通話動作は、いずれかのリモコン１，２において所定の通話開始操作を行うことによって開始され、かかる通話状態は所定時間（例えば３０秒）継続するか或いは通話終了操作を行うことによって終了するように構成できる。
【００３２】
各リモコン１，２の減衰フィルタ回路１３及び通過フィルタ回路１４は、従来公知の適宜の回路構成とすることができる。例えば、減衰フィルタ回路１３は、上記特許文献１に開示されたトラップフィルタと同様の構成であってもよいし、また、図２に示すように、信号経路の途中に設けたカップリングコンデンサＣと、該コンデンサＣの下流側で信号経路をＧＮＤに接続するＬＣ直列共振回路とを備える構成として、減衰させる自機の送信周波数帯の信号成分を、該周波数帯に共振するＬＣ直列共振回路を介してＧＮＤに逃がす構成とすることもできる。このＬＣ共振回路のキャパシタとしてはバリキャップＶを用いることができる。バリキャップＶはバイアス電圧を印加することによって容量が可変であるため、バリキャップ１９のバイアス電圧を、制御部４のアナログ出力ポートから供給される電圧やデジタル出力ポートから出力されるＰＷＭ信号などの減衰中心周波数制御信号によって変動させることでＬＣ共振回路の共振周波数を微調整することができるようになっている。
【００３３】
通過フィルタ回路１４も、バンドパスフィルタなど適宜の回路構成とすることができ、該バンドパスフィルタは、ＲＬＣ共振回路により構成されるハイパスフィルタ及びローパスフィルタの組み合わせなどにより構成できる。通過フィルタ回路１４もまた、減衰フィルタ回路１３と同様に、制御部４のアナログ出力ポートから供給される電圧やデジタル出力ポートから出力されるＰＷＭ信号などを内容とする上側遮断周波数制御信号及び下側遮断周波数制御信号によってフィルタ回路の周波数特性を変化させることにより、通過させる周波数帯の上限値（上側遮断周波数）と下限値（下側遮断周波数）とを個別に調整可能になっている。なお、図示実施例では、上側遮断周波数制御信号と、下側遮断周波数制御信号とを個別に通過フィルタ回路１４に出力しているが、通過させる周波数帯の中心周波数を決定する中心周波数制御信号の一つのみを通過フィルタ回路１４に出力し、該中心周波数を中心とする所定の帯域の周波数帯の信号成分を通過させるように通過フィルタ回路１４を構成することもできる。
【００３４】
各フィルタ回路１３，１４へ出力される上記制御信号の内容は、予め制御部４のメモリ内に記憶保持され、通常のインターホン通話動作時には変更されないようになっている。
【００３５】
ＦＭ復調回路１５は、市販のＦＭ検波ＩＣによって主構成することができ、ＦＭ検波ＩＣの多くはＲＳＳＩ（受信信号強度測定回路）が内蔵されており、ＲＳＳＩ出力端子が設けられている。本実施形態では、このＲＳＳＩ信号を制御部４に入力することによって、通過フィルタ回路１４の出力信号の信号強度情報を制御部４に供給している。
【００３６】
また、各リモコン１，２の制御部４は、基板上に設けたディップスイッチの操作など、所定の操作によって両フィルタ回路１３，１４への制御信号の自動校正動作を通常動作から切り替えて実行するための自動校正動作処理プログラムが実装されている。この自動校正動作の内容は適宜のものであってよい。例えば、減衰フィルタ回路１３への制御信号の校正処理と通過フィルタ回路１４への制御信号の校正処理とを同時に行ってもよいし、これら校正処理を順次行ってもよい。順次行う場合において、先に減衰フィルタ回路１３への制御信号の校正を行ってもよいし、先に通過フィルタ回路１４への制御信号の校正を行ってもよい。
【００３７】
減衰フィルタ回路１３への制御信号の校正を行う場合には、自機のＦＭ変調回路１１を強制動作させて自機からの送信波を通信線３に出力することにより減衰すべき周波数帯の信号強度を大きくしておくこともできるし、外部の検査用機器から通信線３に自機のＦＭ変調回路１１が用いる搬送波と同じ周波数帯の信号を出力することもできる。また、減衰フィルタ回路１３への制御信号の校正を行う場合、他のリモコンはアッテネータを介して接続するなどして受信すべき周波数帯の信号レベルを落としておくこともできるし、制御部４，４同士の通信によって他のリモコンの制御部４に対して他のリモコンのＦＭ変調回路１１を停止させる制御信号を送信し、該制御信号を受信した他のリモコンの制御部４がＦＭ変調回路１１を強制停止させて他のリモコンからの送信波が通信線３に出力されないよう構成することで、減衰すべき周波数帯の信号強度を相対的に大きくすることができる。
【００３８】
減衰フィルタ回路１３への制御信号の自動校正動作において、制御部４は、減衰フィルタ回路１３への制御信号の電圧乃至ＰＷＭ信号のパルス幅を変動させて、最もＲＳＳＩ信号の信号強度が小さくなるよう制御信号を校正することもできるし、また、自機のＦＭ変調回路１１を動作させたときと停止させたときのそれぞれのＲＳＳＩ信号強度との相関関係などに基づき予め定められたテーブルを用いて制御信号を校正することもでき、その他適宜のアルゴリズムによって校正できる。
【００３９】
一方、通過フィルタ回路１４への制御信号の校正を行う場合には、自機のＦＭ変調回路１１を強制停止させて自機からの送信波が通信線３に出力されないようにすることにより通過すべき周波数帯の信号強度を相対的に大きくしておくことができる。また、通過フィルタ回路１４への制御信号の校正を行う場合、他のリモコンを通信線３を介して接続することで他のリモコンから通過すべき周波数帯のＦＭ変調波を受信できるようにしてもよいし、該ＦＭ変調波の搬送波と同じ周波数帯の信号を出力する外部の検査用機器を通信線３に接続することもできる。さらに、制御部４，４同士の通信によって他のリモコンの制御部４に対して他のリモコンのＦＭ変調回路１１を動作させる制御信号を送信し、該制御信号を受信した他のリモコンの制御部４がＦＭ変調回路１１を強制動作させて他のリモコンからＦＭ変調波が通信線３に出力されるよう構成することで、通過すべき周波数帯の信号強度を大きくすることができる。
【００４０】
通過フィルタ回路１４への各制御信号の自動校正動作において、制御部４は、通過フィルタ回路１４への各制御信号の電圧乃至ＰＷＭ信号のパルス幅を変動させて、最もＲＳＳＩ信号の信号強度が大きくなるよう制御信号を校正することもできるし、また、他のリモコンのＦＭ変調回路１１を動作させたときと停止させたときのそれぞれのＲＳＳＩ信号強度との相関関係などに基づき予め定められたテーブルを用いて各制御信号を校正することもでき、その他適宜のアルゴリズムによって校正できる。
【００４１】
本発明は上記実施形態に限定されるものではなく、適宜設計変更できる。例えば、各リモコン１，２の操作に応じて制御部４が各フィルタ回路１３，１４への制御信号の内容を微調整するように構成することもできる。また、本発明の通話装置は必ずしもＦＭ変調回路を備えていなくてもよく、また、半二重通信方式のインターホンの各種ノイズ除去に利用することも可能である。また、各制御信号の自動校正動作は、リモコン１，２の電源投入時や一定時間リモコン１，２の操作がなされなかったときなどの適宜のタイミングで、自動校正プログラムが自動的に起動することによって行わせることもでき、また、リモコン１，２の一方で自動校正動作が実行された場合、一方の自動校正が終わると他方の自動校正動作が開始されるように両制御部４が互いに通信するように構成することもできる。また、各リモコン１，２の制御部４，４は、相手側のＦＭ変調回路１１が用いる搬送波の周波数に関する情報を受信して、該情報を上記各制御信号の自動校正動作に用いることにより、より最適な校正処理を迅速に行わせることも可能である。
【符号の説明】
【００４２】
１  第１の通話器（台所リモコン）
２  第２の通話器（浴室リモコン）
３  通信線
４  制御部（マイコン）
５  情報通信回路
１１  ＦＭ変調回路
１３  減衰フィルタ回路
１４  通過フィルタ回路
１５  ＦＭ復調回路
【図１】
2016184836.tif 000003
【図２】
2016184836.tif 000004